(57)【要約】      （修正有）【課題】耐衝撃性、低振動性、静粛性、気密性、防滴性及び放熱性に一層優れた薄型のＨＤＤケースを提供する。【解決手段】本発明によるＨＤＤケースは、ケース本体１及びその上部の開口周縁に取り付けられる蓋２とからなり、ＨＤＤ２０を収容するＨＤＤケース１０ｃであって、蓋とケース本体内面は、それぞれ熱伝導性向上粘着性合成樹脂マット４ａと制振材６、吸音材７及び遮音材８によりＨＤＤの周囲を包囲するように被覆され、ＨＤＤは、帯板状のＨＤＤ支持部材３１及びＨＤＤ支持部材のＨＤＤ両側面側の水平部３１ａの下面に取付けられたダンパー部材３２ｓを備える一対又は二対のダンパー機構３０ｂによりケース本体に対して非接触状態で支持される。蓋やケース本体は外面に放熱フィンが形成され、更に熱伝導性制振板から構成される。【選択図】図６
2009193654.tif 000002
【特許請求の範囲】
【請求項１】
上部が開放された有底ボックス形状のケース本体と、該ケース本体上部の開口周縁に取り付けられる蓋とからなり、ハードディスクドライブ（ＨＤＤ）を収容するハードディスクドライブ収納ケース（ＨＤＤケース）であって、
前記ＨＤＤは、帯板の長手方向中央部が凹状に屈曲された上面に前記ＨＤＤを載置するＨＤＤ載置部が形成されたＨＤＤ支持部材、及び該ＨＤＤ支持部材の両端の水平部の下面に取付けられたダンパー部材を備える一対のダンパー機構により支持され、
前記ダンパー部材が前記ケース本体内の底面への当接支持部となることにより、前記ＨＤＤが前記ケース本体に対して非接触状態で支持されることを特徴とするＨＤＤケース。
【請求項２】
上部が開放された有底ボックス形状のケース本体と、該ケース本体上部の開口周縁に取り付けられる蓋とからなり、ハードディスクドライブ（ＨＤＤ）を収容するＨＤＤ収納ケース（ＨＤＤケース）であって、
前記ＨＤＤの左右両側面には、それぞれ帯板が略Ｌ字状又は略逆Ｌ字状にＨＤＤ側面外方向に屈曲されたＨＤＤ支持部材、及び該ＨＤＤ支持部材のＨＤＤ左右両側面外方向の水平部の下面に取付けられたダンパー部材を備える一対のダンパー機構が固着され、
前記ダンパー部材が前記ケース本体内の底面への当接支持部となることにより、前記ＨＤＤが前記ケース本体に対して非接触状態で支持されることを特徴とするＨＤＤケース。
【請求項３】
前記ダンパー部材は、スプリング部材、ゲル状衝撃吸収部材、制振ゴム、もしくは低硬度クッション性を有する熱可塑性エラストマーのいずれか一つ又はそれらの組合せであることを特徴とする請求項１又は２に記載のＨＤＤケース。
【請求項４】
前記ダンパー部材は、ねじ部材に挿通され、前記ＨＤＤ支持部材の水平部の下面に衝撃吸収部材からなる衝撃吸収部材ワッシャーを介して取付けられ、
前記ＨＤＤ支持部材の水平部に設けられたねじ取付け孔は、前記ねじ部材に対し非接触状態を保持する十分大きい孔径を有することを特徴とする請求項１乃至３のいずれか１項に記載のＨＤＤケース。
【請求項５】
前記ＨＤＤの周囲を包囲するように、前記ケース本体内の側面は、制振材、吸音材及び遮音材により多層状に被覆され、前記ケース本体内の底面は、遮音材により被覆され、前記蓋の内面には、熱伝導性向上粘着性合成樹脂マットが介装されることを特徴とする請求項１乃至４のいずれか１項に記載のＨＤＤケース。
【請求項６】
前記蓋の熱伝導性向上粘着性合成樹脂マットと前記ＨＤＤ上面とが接触することを特徴とする請求項５に記載のＨＤＤケース。
【請求項７】
前記ＨＤＤ上面が、前記蓋の内面又は蓋の熱伝導性向上粘着性合成樹脂マットの下面に対し適宜の隙間を有した非接触状態で配置されることを特徴とする請求項５に記載のＨＤＤケース。
【請求項８】
前記蓋の熱伝導性向上粘着性合成樹脂マットと前記ＨＤＤ上面との間にヒートシンクが挟設されることを特徴とする請求項５に記載のＨＤＤケース。
【請求項９】
前記ヒートシンクは、上面に放熱フィンが形成され、該放熱フィンの上面が前記蓋内面の熱伝導性向上粘着性合成樹脂マットの下面に対し適宜の隙間を有した非接触状態で配置されることを特徴とする請求項８に記載のＨＤＤケース。
【請求項１０】
前記蓋は、ケース本体上部の開口周縁上面との合せ面間に熱伝導性向上粘着性合成樹脂シートが全周無端状に介装された状態で、衝撃吸収部材ワッシャーを介して複数のねじ部材により前記開口周縁にねじ着され、
前記蓋のねじ取付け孔は、前記ねじ部材に対し非接触状態を保持する十分大きい孔径を有することを特徴とする請求項１乃至９のいずれか１項に記載のＨＤＤケース。
【請求項１１】
前記蓋又はケース本体のうちの少なくともいずれかは、金属板、熱伝導性向上弾性フィルム、金属板の順に積層された熱伝導性制振板からなり、
前記熱伝導性向上弾性フィルムは、金属やカーボンを含む高熱伝導性フィラーを混入した高分子系樹脂フィルムからなり、熱伝導率が１ＫＷ／（ｍ・Ｋ）以上であることを特徴とする請求項１乃至１０のいずれか１項に記載のＨＤＤケース。
【請求項１２】
前記蓋又はケース本体のうちの少なくともいずれかは、外面に放熱フィンが形成されることを特徴とする請求項１乃至請求項１１のいずれか１項に記載のＨＤＤケース。
【請求項１３】
前記放熱フィンは、フィンリブが交叉する格子状に形成されることを特徴とする請求項１２に記載のＨＤＤケース。
【発明の詳細な説明】
【技術分野】
【０００１】
本発明は、ハードディスクドライブ（以下、「ＨＤＤ」という）を収容して保護するための、ＨＤＤを収容するハードディスクドライブ収納ケース（以下、「ＨＤＤケース」という）に関し、特に、耐衝撃性、低振動性、静粛性、気密性、防滴性及び放熱性に優れる薄型のＨＤＤケースに関する。
【背景技術】
【０００２】
近年、コンピュータ・システムの小型化、高速処理化に伴って、その外部記憶装置として用いられるＨＤＤにも小型化とともに、高速処理化と大容量化が要求されている。そして、ＨＤＤの高記録密度化が加速する中で、磁気ヘッド／メディアの狭トラック化（高トラック密度化又は高ＴＰＩ化）が急速に進みつつある。
【０００３】
このようにＨＤＤの高ＴＰＩ化が進んでトラックが高密度化されると、僅かな振動によっても磁気ヘッドが目的のトラックからずれることがあり、ＨＤＤの信頼性が低下してしまうことになり、特に高密度化トラックを備えたＨＤＤでは、振動、更にはこれらに伴う騒音等の低減が強く望まれている。
【０００４】
このような要望に対応し得るＨＤＤケースとして、ＨＤＤを載置するプレート板と、プレート板上面に載置したＨＤＤを覆うようにプレート板上面の周縁に取り付けられるカバーとからなり、プレート板上面に衝撃吸収材を配するとともに周縁に吸音材を配し、カバーの内側面に吸音材を配するとともに天上面に衝撃吸収材を配して、これら衝撃吸収材及び吸音材によって振動の減衰化が計られているものが市販されている。しかし、このような構造では、ＨＤＤのモータ駆動時に生じる熱でＨＤＤケース内部の雰囲気温度が上昇して熱の逃げ道がなく、ＨＤＤケース内部の雰囲気温度が、ＡＴＸ規格（組立用パソコン）で規定される５５℃を上回ってしまうという問題点があった。
【０００５】
また、耐衝撃性の小型軽量な携帯型ハードディスク装置（一種のＨＤＤケース）も提案されている（例えば、特許文献１）。
【０００６】
特許文献１に記載の携帯型ハードディスク装置（ＨＤＤケース）２００は、図１１に示すように、ＨＤＤ１０４を収納する筐体（ケース本体）１０５を備え、ＨＤＤ１０４とＨＤＤ１０４を収納するケース本体１０５との間に設置する衝撃吸収材１０６がＨＤＤ１０４の外表面積の２〜５０％と接触する構成である。
【０００７】
しかし、このような構成では、上記市販のものと同様に、ＨＤＤのモータ駆動時に生じる熱の逃げ道がない上に、ケース本体１０５内には防音処理が一切記載されていない等々の問題点がある。
【０００８】
最近、このような問題点を改善するものとして、ＨＤＤのモータ駆動時の発熱によっても、ケース内部の雰囲気温度を５５℃以下に保持することができるＨＤＤケースが提案されている（例えば、特許文献２）。
【０００９】
特許文献２に記載のＨＤＤケース１１は、図１２及び図１３に示すように、ケース本体１３と、ケース本体１３上部の開口１３ａ周縁に取り付けられる蓋部材１４とからなり、蓋部材１４内面側にＨＤＤ１２を吊り下げ状態に固定する一対の固定片１７、１７が蓋部材１４内面に連続して設けられており、ケース本体１３内面及び蓋部材１４内面が吸音材１５によって被覆され、蓋部材１４がケース本体１３上部の開口１３ａ周縁に配した防振材１６を介して取り付けられる構成である。
【００１０】
従って、ケース本体１３にＨＤＤ１２を固定した蓋部材１４を取り付け、ＨＤＤ１２を固定するための一対の固定片１７、１７が蓋部材１４に連続して設けられており、ケース本体１３内のＨＤＤ１２駆動時の熱はケース本体１３内部に突出する固定片１７、１７を経て蓋部材１４へと伝わり、ケース本体１３へと放出される。また、ケース本体１３及び蓋部材１４のそれぞれの内面に吸音材１５を配し、蓋部材１４が取り付けられるケース本体１３上部の開口１３ａ周縁に防振材１６を配したことにより、振動及び騒音を低減する。
【００１１】
更に、最近、低振動性、静粛性、気密性及び放熱性に優れたＨＤＤケースが提案されている（例えば、特許文献３）。
【００１２】
特許文献３に記載のＨＤＤケースは、図示しないが、ケース蓋と、ケース蓋を開放底部に装着する箱形のケース本体とからなり、ケース本体の周囲内壁面に沿って、所定厚さの吸音材を配置するとともに、ケース本体の天板部の内側に放熱板を配置し、放熱板からケース本体の内側に起立する支持部材間にＨＤＤを保持し、放熱板、支持部材及びケース蓋を、ＨＤＤに接触させて放熱する構造である。
【００１３】
従って、ケース本体の吸音材により騒音が吸収されて、ＨＤＤケース外部への騒音の漏出が低減される。また、熱伝導性の良い素材で、ケース蓋、ケース本体、放熱板及び支持部材を構成したことにより、ＨＤＤの放熱効果を向上させることができる。
【特許文献１】特開２００３−２７２３６７号公報
【特許文献２】特開２００４−２３４７７７号公報
【特許文献３】特開２００５−２８５１５４号公報
【発明の開示】
【発明が解決しようとする課題】
【００１４】
特許文献１のＨＤＤケース２００においては、ＨＤＤ１０４とケース本体１０５との間に衝撃吸収材１０６をＨＤＤ１０４の外表面積の２〜５０％と接触するように設けたことにより、それなりに耐衝撃性を有している。しかし、衝撃吸収材１０６は、ＨＤＤ１０４とケース本体１０５との間に設けることからスペース的に厚くすることができず３ｍｍ程度の薄さであることから、耐衝撃及び振動吸収性能が十分でないことも加えて、防音処理が施されていないため静粛性を改善する余地がある。
【００１５】
また、特許文献２のＨＤＤケースにおいては、ＨＤＤ１２を固定するための一対の固定片１７、１７が蓋部材１４に連続して設けられており、ＨＤＤ１２の振動が固定片１７、１７を伝って蓋部材１４へと伝わり、更に蓋部材１４を固定するねじ部材（図示しない）を経由してケース本体１３へと振動伝播するという問題点がある。その上、ケース本体１３上部の開口１３ａ周縁に設けられた防振材１６は、厚くすることができず３ｍｍ程度の薄さであるため、振動吸収性能が十分でないことも加えて、耐衝撃性、低振動性及び静粛性を更に改善する余地がある。
【００１６】
一方、特許文献３のＨＤＤケースにおいては、ＨＤＤ駆動部の回転に伴う振動に対して、ケース本体の内側周壁面とＨＤＤとの間の吸音材及び枠状の吸音材が振動吸収体として働き、ＨＤＤケース外部への騒音の漏出を抑制することができるものの、ケース本体の内側に起立する支持部材間にＨＤＤを保持しことからＨＤＤ駆動時の振動が支持部材を経てケース本体に伝播するなど、更に耐衝撃性、低振動性及び静粛性を改善する余地がある。
【００１７】
本発明は、このような問題点を解決するためになされたものであり、気密性及び防滴性を確保して振動、衝撃及び騒音の吸収を図りながら放熱性を効果的に実現でき、耐衝撃性、低振動性、静粛性及び放熱性に一層優れた薄型のＨＤＤケースを提供することを目的とする。
【課題を解決するための手段】
【００１８】
上記の目的を達成するため、請求項１の発明のＨＤＤケースは、上部が開放された有底ボックス形状のケース本体と、該ケース本体上部の開口周縁に取り付けられる蓋とからなり、ハードディスクドライブ（以下、「ＨＤＤ」という）を収容するハードディスクドライブ収納ケース（以下、「ＨＤＤケース」という）であって、前記ＨＤＤは、帯板の長手方向中央部が凹状に屈曲された上面に前記ＨＤＤを載置するＨＤＤ載置部が形成されたＨＤＤ支持部材、及び該ＨＤＤ支持部材の両端の水平部の下面に取付けられたダンパー部材を備える一対のダンパー機構により支持され、前記ダンパー部材が前記ケース本体内の底面への当接支持部となることにより、前記ＨＤＤが前記ケース本体に対して非接触状態で支持されることを特徴としている。
【００１９】
請求項２の発明のＨＤＤケースは、上部が開放された有底ボックス形状のケース本体と、該ケース本体上部の開口周縁に取り付けられる蓋とからなり、ＨＤＤを収容するＨＤＤ収納ケース（ＨＤＤケース）であって、前記ＨＤＤの左右両側面には、それぞれ帯板が略Ｌ字状又は略逆Ｌ字状にＨＤＤ側面外方向に屈曲されたＨＤＤ支持部材と、該ＨＤＤ支持部材のＨＤＤ左右両側面外方向の水平部の下面に取付けられた衝撃吸収部材とからなる一対のダンパー機構が取付けられ、前記ダンパー部材が前記ケース本体内の底面への当接支持部となることにより、前記ＨＤＤが前記ケース本体に対して非接触状態で支持されることを特徴としている。
【００２０】
請求項３の発明は、請求項１又は２に記載のＨＤＤケースであって、前記ダンパー部材は、スプリング部材、ゲル状衝撃吸収部材、制振ゴム、もしくは低硬度クッション性を有する熱可塑性エラストマーのいずれか一つ又はそれらの組合せであることを特徴としている。
【００２１】
請求項４の発明は、請求項１乃至３のいずれか１項に記載のＨＤＤケースであって、前記ダンパー部材は、ねじ部材に挿通され、前記ＨＤＤ支持部材の水平部の下面に衝撃吸収部材からなる衝撃吸収部材ワッシャーを介して取付けられ、前記ＨＤＤ支持部材の水平部に設けられたねじ取付け孔は、前記ねじ部材に対し非接触状態を保持する十分大きい孔径を有することを特徴としている。
【００２２】
請求項５の発明は、請求項１乃至４のいずれか１項に記載のＨＤＤケースであって、前記ＨＤＤの周囲を包囲するように、前記ケース本体内の側面は制振材、吸音材及び遮音材により多層状に被覆され、前記ケース本体内の底面は遮音材により被覆され、前記蓋の内面には熱伝導性向上粘着性合成樹脂マットが介装されることを特徴としている。
【００２３】
請求項６の発明は、請求項５に記載のＨＤＤケースであって、前記蓋の熱伝導性向上粘着性合成樹脂マットと前記ＨＤＤ上面とが接触することを特徴としている。
【００２４】
請求項７の発明は、請求項５に記載のＨＤＤケースであって、前記ＨＤＤ上面が、前記蓋の内面又は蓋の熱伝導性向上粘着性合成樹脂マットの下面に対し適宜の隙間を有した非接触状態で配置されることを特徴としている。
【００２５】
請求項８の発明は、請求項５に記載のＨＤＤケースであって、前記蓋の熱伝導性向上粘着性合成樹脂マットと前記ＨＤＤ上面との間にヒートシンクが挟設されることを特徴としている。
【００２６】
請求項９の発明は、請求項８に記載のＨＤＤケースであって、前記ヒートシンクは、上面に放熱フィンが形成され、その上面が前記蓋内面の熱伝導性向上粘着性合成樹脂マットの下面に対し適宜の隙間を有した非接触状態で配置されることを特徴としている。
【００２７】
請求項１０の発明は、請求項１乃至９のいずれか１項に記載のＨＤＤケースであって、前記蓋は、ケース本体上部の開口周縁上面との合せ面間に熱伝導性向上粘着性合成樹脂シートが全周無端状に介装された状態で、衝撃吸収部材ワッシャーを介して複数のねじ部材により前記開口周縁にねじ着され、前記蓋のねじ取付け孔は、前記ねじ部材に対し非接触状態を保持する十分大きい孔径を有することを特徴としている。
【００２８】
請求項１１の発明は、請求項１乃至１０のいずれか１項に記載のＨＤＤケースであって、前記蓋又はケース本体のうちの少なくともいずれかは、金属板、熱伝導性向上弾性フィルム、金属板の順に積層された熱伝導性制振板からなり、前記熱伝導性向上弾性フィルムは、金属及やカーボンを含む高熱伝導性フィラーを混入した高分子系樹脂フィルムからなり、熱伝導率が１ＫＷ／（ｍ・Ｋ）以上であることを特徴としている。
【００２９】
請求項１２の発明は、請求項１乃至１１のいずれか１項に記載のＨＤＤケースであって、前記蓋又はケース本体のうちの少なくともいずれかは、外面に放熱フィンが形成されることを特徴としている。
【００３０】
請求項１３の発明は、請求項１２項に記載のＨＤＤケースであって、前記放熱フィンは、フィンリブが交叉する格子状に形成されることを特徴としている。
【発明の効果】
【００３１】
請求項１の発明によれば、特に上下方向のスペース的に制約される薄型のＨＤＤケースにおいても、ダンパー機構の衝撃吸収部材がＨＤＤの左右両側面側に配置されているので、衝撃吸収部材は衝撃及び振動吸収性能を十分発揮できる厚さを確保できる上、衝撃吸収部材がケース本体内の底面への当接支持部となってＨＤＤがケース本体に対して非接触状態で支持されていることから、ＨＤＤ駆動時の振動が直接ケース本体に伝播することなく、更に外部からの衝撃もケース本体から直接ＨＤＤに伝播することなく、ダンパー機構がこれら振動や衝撃を吸収して静粛性及びＨＤＤを保護する耐衝撃性を十分確保することができるという効果がある。
【００３２】
請求項２の発明によれば、ダンパー機構の衝撃吸収部材がＨＤＤの左右両側面側に配置されているので、衝撃吸収部材は衝撃及び振動吸収性能を十分発揮できる厚さを確保できる上、衝撃吸収部材がケース本体内の底面への当接支持部となってＨＤＤがケース本体に対して非接触状態で支持されていることから、請求項１の発明と同様な効果を有する。また、略Ｌ字状又は略逆Ｌ字状のＨＤＤ支持部材をＨＤＤの両側面側に固着することにより、請求項１におけるＨＤＤ支持部材の中央部のＨＤＤ載置部を省いた分ＨＤＤケースを薄く構成できるととともに軽量化できるという効果がある。
【００３３】
請求項３の発明によれば、請求項１又は２の発明と同様な効果を有するのに加えて、衝撃吸収部材は、例えば、広範囲の周波数域の微振動及び衝撃を吸収する非常に優れた振動及び衝撃吸収材であるシリコンを主原料とするアルファゲル（αＧＥＬ：ジェルテック社の商品名）などのゲル状衝撃吸収部材や、スプリング部材、制振ゴム、もしくは低硬度クッション性を有する熱可塑性エラストマーのいずれか一つ又はそれらの組合せを適宜採用することができるので、ＨＤＤ駆動時の振動のＨＤＤケース外への漏出防止による低振動性及び静粛性、更には外部からの衝撃を吸収してＨＤＤを保護する耐衝撃性を一層向上させることができる。
【００３４】
請求項４の発明によれば、請求項１乃至３のいずれか１項の発明と同様な効果を有するのに加えて、衝撃吸収部材がねじ部材に挿通され、ＨＤＤ支持部材のＨＤＤ側面側の水平部の下面に衝撃吸収部材ワッシャーを介して取付けられ、ＨＤＤ支持部材の水平部のねじ取付け孔は、ねじ部材に対し非接触状態を保持する十分大きい孔径を有していることから、ＨＤＤ駆動時の振動及び騒音がＨＤＤ支持部材を介してＨＤＤケース外へ漏出することが防止されることにより静粛性、並びに外部からの衝撃を吸収してＨＤＤを保護する耐衝撃性ともなお一層向上させるという効果がある。
【００３５】
請求項５の発明によれば、請求項１乃至４のいずれか１項の発明と同様な効果を有するのに加えて、ＨＤＤの周囲を包囲するように、ケース本体内の側面が制振材、吸音材及び遮音材により多層状に被覆され、ケース本体内の底面が遮音材により被覆され、更に蓋の内面には熱伝導性向上粘着性合成樹脂マットが介装されていることから、ＨＤＤ駆動時の騒音のＨＤＤケース外への漏出防止による静粛性、並びに外部からの衝撃を吸収してＨＤＤを保護する耐衝撃性ともなお一層向上させることができる。
【００３６】
請求項６の発明によれば、請求項５の発明と同様な効果を有するのに加えて、蓋の熱伝導性向上粘着性合成樹脂マットとＨＤＤ上面とが接触していることから、ＨＤＤからこれに接触している熱伝導性向上粘着性合成樹脂マットを介して蓋及びケース本体への効率のよい熱伝達経路が形成されるので、ＨＤＤから発生した熱がＨＤＤケースの全ての面から放熱でき、放熱効果を十分確保することができる。熱伝導性向上粘着性合成樹脂マットは、一般的にディンプルが形成されているＨＤＤの上面に対して全面的に密着することにより接触熱伝達効率を向上させることができる。
【００３７】
請求項７の発明によれば、請求項５の発明と同様な効果を有するのに加えて、ＨＤＤ上面が、前記ケース本体及び蓋の内面又は蓋の熱伝導性向上粘着性合成樹脂マットの下面に対し適宜の隙間を有した非接触状態で配置されていることから、ＨＤＤの振動伝播がケース本体及び蓋に対して完全に遮断されるため、ＨＤＤ駆動時の振動及び騒音のＨＤＤケース外への漏出防止による静粛性、並びに外部からの衝撃伝播も遮断されＨＤＤを保護する耐衝撃性を更に向上させるという効果がある。また、ＨＤＤからの放射熱が蓋に直接又は熱伝導性向上粘着性合成樹脂マットを介して蓋及びケース本体へと伝導するという熱伝達経路が形成されるので、ＨＤＤから発生した熱がＨＤＤケースの全ての面からの放熱効果を確保することもできる。
【００３８】
請求項８の発明によれば、請求項５の発明と同様な効果を有するのに加えて、蓋の熱伝導性向上粘着性合成樹脂マットとＨＤＤ上面との間にヒートシンクが挟設されていることから、ＨＤＤからこれに接触しているヒートシンク及び熱伝導性向上粘着性合成樹脂マットを介して蓋及びケース本体への熱伝達経路が形成されるので、ＨＤＤから発生した熱がＨＤＤケースの全ての面から放熱でき、放熱効果をなお一層向上させることができる。また、熱伝導性向上粘着性合成樹脂マット及びヒートシンクが遮音材としてＨＤＤ駆動時の騒音のＨＤＤケース外への漏出防止による静粛性を更に向上させる効果もある。
【００３９】
一般に、２．５インチや３．５インチのＨＤＤは箱型で、騒音源となるディスクドライブが箱の上側に格納され、箱の下側面に制御基板が取り付けられている構造であることから、ＨＤＤの騒音は、本来上側ほど大きく、下面側は減衰して比較的小さくなるので、ＨＤＤケースの底面に被覆される遮音材は比較的薄くすることができる。また、蓋内面の熱伝導性粘着性合成樹脂マット及びヒートシンクは、遮音材としてもＨＤＤ駆動時の振動などによる騒音のＨＤＤケース外への漏出を防止する効果もある。従って、蓋の内面側では熱伝導性粘着性合成樹脂マット及びヒートシンクにより、ケース本体の底面側では遮音材によりそれぞれＨＤＤの振動音が外部に対して遮蔽され、ＨＤＤの周囲の側面側にＨＤＤの振動音が集約される傾向になる。これに対し、ケース本体の側面に多層状に被覆される制振材、吸音材及び遮音材により（特に吸音材を厚くすることにより）集約されるＨＤＤの騒音、振動あるいは外部から衝撃を遮蔽及び吸収する効果を高めることができる。
【００４０】
請求項９の発明によれば、請求項８の発明と同様な効果を有するのに加えて、上面に放熱フィンが形成されたヒートシンクは、その放熱フィンの上面が蓋の熱伝導性向上粘着性合成樹脂マットの下面に対し適宜の隙間を有して非接触状態で配置されていることから、ＨＤＤに接触しているヒートシンクの放熱フィンからの放射熱が熱伝導性向上粘着性合成樹脂マットを介して蓋及びケース本体へと伝導するという熱伝達経路が形成されるので、ＨＤＤから発生した熱がＨＤＤケースの全ての面からの放熱効果を確保することができる。また、ＨＤＤ（ヒートシンク共）は、ケース本体及び蓋とは非接触状態となることから、ＨＤＤの振動伝播がケース本体及び蓋に対して完全に遮断されるため、ＨＤＤ駆動時の振動及び騒音のＨＤＤケース外への漏出防止による静粛性、並びに外部からの衝撃伝播も遮断されＨＤＤを保護する耐衝撃性を更に向上させる効果もある。
【００４１】
請求項１０の発明によれば、請求項１乃至９のいずれか１項の発明と同様な効果を有するのに加えて、蓋はケース本体上部の開口周縁に熱伝導性向上粘着性合成樹脂シートが介装された状態で衝撃吸収部材ワッシャーを介してねじ部材により固定され、蓋のねじ取付け孔はねじ部材に対し非接触状態を保持する大きい孔径を有していることから、ＨＤＤケースの気密性及び防滴性が確保されるとともに、ＨＤＤ駆動時の振動及び騒音の蓋を介してＨＤＤケース外への漏出防止による静粛性、並びに外部からの衝撃を吸収してＨＤＤを保護する耐衝撃性を更に確保することができる。
【００４２】
請求項１１の発明によれば、請求項１乃至１０のいずれか１項の発明と同様な効果を有するのに加えて、蓋又は／及びケース本体は、金属板、熱伝導性向上弾性フィルム、金属板の順に積層された熱伝導性制振板からなることから、ＨＤＤ駆動時の振動及び騒音のＨＤＤケース外への漏出防止による静粛性並びに外部からの衝撃を吸収してＨＤＤを保護する耐衝撃性を更に一層向上するとともに、例えば前記ヒートシンクを省いてもＨＤＤケース全体からの放熱性を効果的に確保することができる。
【００４３】
請求項１２の発明によれば、請求項１乃至１１のいずれか１項の発明と同様な効果を有するのに加えて、蓋又は／及びケース本体は、外面に放熱フィンが形成されていることから、ＨＤＤケース表面の面積が増大することによりＨＤＤから発生した熱がＨＤＤケース表面からの放熱効果をなお一層向上させることができる。
【００４４】
請求項１３の発明によれば、請求項１２の発明と同様な効果を有するのに加えて、外面の放熱フィンが格子状に形成されていることから、蓋又は／及びケース本体の剛性がアップし、ＨＤＤからの振動によるＨＤＤケースの共振を低減して静粛性をなお一層向上させることができる。
【００４５】
このように、本発明によれば、ケース本体上部の開口周縁と蓋との間に熱伝導性向上粘着性合成樹脂シートを介装して気密性及び防滴性を確保して振動、衝撃及び騒音の吸収を図りながら放熱性を効果的に実現でき、耐衝撃性、低振動性、静粛性、気密性、防滴性及び放熱性に一層優れた薄型のＨＤＤケースを提供することができるという効果がある。
【発明を実施するための最良の形態】
【００４６】
以下、本発明によるＨＤＤケースについて８つの実施例の図面を参照して説明する。
【実施例１】
【００４７】
図１は、本発明の一実施形態による実施例１のＨＤＤケース１０の正面縦断面図であり、図２は、ＨＤＤケース１０の側面縦断面図である。
【００４８】
ＨＤＤケース１０は、いずれも軽量で高熱伝導性のあるＡｌ合金系又は更に熱伝導性及び遮音性のよい銅合金系や鉄合金系などの薄板金属製の、上部が開放された有底のケース本体１と、ケース本体１上部の開口周縁に取り付けられる蓋２とから概略構成される扁平ボックス形状をなし、ケース本体１内の中央部にＨＤＤ２０が載置されて収容される構成となっている。
【００４９】
ケース本体１及び蓋２の外面は全面的に凹凸状のディンプルが形成され、ディンプルを含めた両者の板厚はそれぞれ例えば２ｍｍ程度である。このディンプルによりＨＤＤケース１０の外表面積が増大することから放熱効果を向上させている。なお、ケース本体１及び蓋２の外面を含む形状や表面処理等については後述する。
【００５０】
ケース本体１は、例えば、底面１ａに対して左右前後４つの側面１ｂ、１ｂ、１ｃ、１ｃが切り起こされてボックス形状に形成されるとともに、更にこれらの側面１ｂ、１ｂ、１ｃ、１ｃの上部の蓋２がネジ着される取付け面となるフランジ部１ｄが、それぞれ適宜幅を有して内側に水平に屈曲され、フランジ部１ｄの上面が面一の蓋取付け面となるように形成されている。すなわち、ケース本体１上部の開口周縁は、フランジ部１ｄとなっている。なお、図示しないが、フランジ部１ｄはケース本体１の左右両側面１ｂ、１ｂのみに設け、前後両側面１ｃ、１ｃは上面がフランジ部１ｄと面一の平板状のままでもよい。
【００５１】
蓋２は、ケース本体１上部の開口周縁の蓋取付け面であるフランジ部１ｄ上面との間に熱伝導性向上粘着性合成樹脂シート９が全周無端状に介装された状態で、衝撃吸収部材からなる衝撃吸収部材ワッシャー２２を介して複数のねじ部材２１によりフランジ部１ｄ、１ｄに着脱可能にねじ着される。蓋２のねじ取付け孔２ａは、例えば３ｍｍ径のねじ部材２１に対し非接触状態を保持するような十分大きい例えば４ｍｍの孔径を有している。
【００５２】
熱伝導性向上粘着性合成樹脂シート９は、高熱伝導性及び衝撃吸収性あるいはクッション性のある素材、例えばデンカボロンナイトライドとシリコンゴムを素材に使用してグラスファイバにより機械的強度を補強し、締付けによる破れなど実装上の不安のない商品名「デンカ放熱シート」（電気化学工業株式会社製）などを用いることができる。
【００５３】
衝撃吸収部材ワッシャー２２は、例えば、広範囲の周波数域の微振動及び衝撃を吸収する非常に優れた振動及び衝撃吸収材であるシリコンを主原料とする「アルファゲル」（αＧＥＬ：ジェルテック社の商品名）などのゲル状衝撃吸収部材を用いることができるが、更に詳細については後述する。
【００５４】
このような熱伝導性向上粘着性合成樹脂シート９及び衝撃吸収部材ワッシャー２２を介してケース本体１上部の開口周縁に対して蓋２が非接触状態で取付けられる構造となっていることから、ＨＤＤケース１０の気密性及び防滴性が確保されるとともに、ＨＤＤ駆動時の振動及び騒音が蓋２を介するＨＤＤケース１０外への漏出が防止されて静粛性が確保され、更に蓋２を介する外部からの衝撃を吸収してＨＤＤを保護する耐衝撃性をも確保することができる。
【００５５】
蓋２の内面のケース本体１上部の開口周縁上面の蓋取付け面を除く中央部は、高熱伝導性及び衝撃吸収性あるいはクッション性のある素材からなる例えば上記商品名「デンカ放熱シート」などの長方形板状の熱伝導性向上粘着性合成樹脂マット４により被覆されている。更に、この粘着性合成樹脂マット４の下面にＨＤＤ２０の大きさに対応した長方形板状のヒートシンク５が粘着保持されている。すなわち、ヒートシンク５は、熱伝導性向上粘着性合成樹脂マット４とＨＤＤ２０の上面との間に挟設されている。ヒートシンク５の材質等については後述する。
【００５６】
熱伝導性向上粘着性合成樹脂マット４は、一般的にディンプルが形成されているＨＤＤ２０の上面に対して全面的に密着することにより接触熱伝達効率を向上させることができる。これにより、ＨＤＤ２０からこれに接触しているヒートシンク５及び熱伝導性向上粘着性合成樹脂マット４を経て蓋２及び熱伝導性向上粘着性合成樹脂シート９、更にはケース本体１への熱伝達経路が形成されるので、ＨＤＤ２０から発生した熱がＨＤＤケース１０の全ての面から放熱でき、放熱効果を十分確保することができる。また、蓋２の内面の熱伝導性向上粘着性合成樹脂マット４及びヒートシンク５は、遮音材としてＨＤＤ２０駆動時の振動などによる騒音のＨＤＤケース１０外への漏出を防止する効果もある。
【００５７】
ケース本体１の内部の側面１ｂ、１ｂ、１ｃ、１ｃは、図１及び図２に示すように、順に制振材６、吸音材７及び遮音材８によりＨＤＤ２０の周囲を包囲するように多層状に被覆されている。
【００５８】
ＨＤＤ２０の周囲を包囲して側面１ｂ、１ｂ、１ｃ、１ｃの多層状に被覆された制振材６、吸音材７及び遮音材８部に至るケース本体１内の底面１ａの中央部は、長方形板状の遮音材３により被覆されている。一般に、２．５インチや３．５インチのＨＤＤは箱型で、騒音源となるディスクドライブが箱の上側に格納され、箱の下側面に制御基板が取り付けられている構造であることから、ＨＤＤの騒音は、上側ほど大きく、下面側は減衰して比較的小さくなるので、底面１ａに被覆される遮音材３は比較的薄く例えば２ｍｍ未満程度とすることができる。この遮音材３の詳細については後述する。
【００５９】
ＨＤＤ２０の上下側は、上述のように、それぞれ蓋２の内面の熱伝導性向上粘着性合成樹脂マット４及びヒートシンク５、ケース本体１の底面１ａの遮音材３によりＨＤＤ２０の振動音が外部に対して遮蔽され、ＨＤＤ２０の周囲の側面側にＨＤＤ２０の振動音が集約される傾向になる。これに対し、側面１ｂ、１ｂ、１ｃ、１ｃに多層状に被覆される制振材６、吸音材７及び遮音材８のうち特に吸音材７を厚くすることにより前記集約されるＨＤＤ２０の騒音、振動、更には外部からの衝撃を遮蔽及び吸収する効果を高めることができる。
【００６０】
電子機器であるＨＤＤ２０を収容するＨＤＤケース１０に適用する制振材６、吸音材７、遮音材３、８には、粉塵や細かい繊維などの飛散する部材は不適格であり、各種合成樹脂系又はゴム系などソフトタイプの不織布部材を用いることが望ましい。例えば、制振材６は各種「振動吸収パッド」、あるいは前記「デンカ放熱シート」など、吸音材７はウレタンフォームなどの各種「吸音フォーム」、あるいは特殊紙と不織布の積層による「ＲｕＢＡ」（東レ・デュポンの商品名）など、遮音材３、８は「遮音シートＪ」（日東紡の商品名）などの各種「遮音シート」等の市販品が適用できる。なお、粘着性合成樹脂マット４の「デンカ放熱シート」などは、上述したように、主として熱伝導性部材として用いられるが、衝撃吸収材、制振材あるいは遮音材としても用いることができる。
【００６１】
ＨＤＤ２０は、図１及び図２に示すように、中央部がＨＤＤ２０の幅寸法より若干広めの凹状に屈曲された上面にＨＤＤ２０を載置するＨＤＤ載置部３１ｂが形成された帯板状のＨＤＤ支持部材３１、及びＨＤＤ支持部材３１の両端の水平部３１ａ、３１ａの下面に取付けられたダンパー部材３２を備える一対のダンパー機構３０、３０により支持されている。
【００６２】
その際、ダンパー部材３２は、その底面がＨＤＤ支持部材３１のＨＤＤ載置部３１ｂの下面より若干例えば２ｍｍ程度下方に突出するように配置されてケース本体１の底面１ａへの当接支持部となることにより、底面１ａ上の例えば２ｍｍ未満程度の遮音材３とＨＤＤ載置部３１ｂの下面との間に僅かの隙間Ｓが確保されるようになっている。すなわち、ＨＤＤ２０はダンパー機構３０によりケース本体１に対して非接触状態で支持されている。
【００６３】
ＨＤＤ支持部材３１の両端の水平部３１ａ、３１ａには、それぞれねじ取付け孔３１ｃ、が穿設されている。一方、ダンパー部材３２は、例えば厚さが６ｍｍ程度の円形ブッシュ状に形成され、ねじ部材３３の頭部がダンパー部材３２の底面から突出しないように埋め込み可能な段付き型ねじ取付け孔３２ａが中心に穿設されている。そして、ダンパー部材３２は、ＨＤＤ支持部材３１の両端の水平部３１ａ、３１ａの下面にそれぞれ両者のねじ取付け孔３２ａ及び３１ｃに挿通されたねじ部材３３に衝撃吸収部材からなる衝撃吸収部材ワッシャー３５を介してナット３４により締結され取付けられる。ねじ取付け孔３１ｃ及び３２ａは、いずれも例えば３ｍｍ径のねじ部材３３に対し非接触状態を保持するような十分大きい例えば４ｍｍの孔径を有している。
【００６４】
このように組立てられたダンパー機構３０の中央部のＨＤＤ載置部３１ｂの上面にＨＤＤ２０が載置されることによりＨＤＤ２０は、ダンパー機構３０のダンパー部材３２の弾性力により上方の蓋２方向に適宜押圧され、ＨＤＤ２０の上面がヒートシンク５に当接した状態でケース本体１内に支持されている。従って、ＨＤＤ支持部材３１とＨＤＤ２０とは、特にねじ部材などの固定手段により固着されなくてもよい。
【００６５】
ダンパー部材３２あるいは衝撃吸収部材ワッシャー２２及び３５は、公知の、例えば、衝撃、振動を吸収減衰させ、低硬度でクッション性を有するエラストマー材であれば、特に限定することなく使用される。すなわち、衝撃吸収部材の素材としては、ゲル状樹脂、ゴム状樹脂、発泡樹脂であって、シリコン系、ポリスチレン系、ポリエステル系、ポリウレタン系、ポリアミド系、フッ素樹脂系、ポリオレフィン系などの熱可塑性エラストマー、例えば、シリコンを主原料とする「アルファゲル」（αＧＥＬ：ジェルテック社の商品名）などのゲル状衝撃吸収部材を用いることができる。
【００６６】
このようなダンパー機構３０の構成により、特に上下方向のスペース的に制約される薄型のＨＤＤケース１０においても、ダンパー機構３０がＨＤＤ２０の側面に取付けられるので、ＨＤＤ支持部材３１の両端の水平部３１ａ、３１ａの下面に設けられたダンパー部材３２は衝撃及び振動吸収性能を十分発揮できる厚さ例えば６ｍｍ程度が確保できる上、ダンパー部材３２がケース本体１内への当接支持部となってＨＤＤ２０及びＨＤＤ支持部材３１がケース本体１に対して非接触状態で支持されていることから、ＨＤＤ２０駆動時の振動がＨＤＤ支持部材３１を介して直接ケース本体１に伝播することなく、更に外部からの衝撃もケース本体１から直接ＨＤＤ２０に伝播することなく、これら振動や衝撃を吸収して静粛性ならびにＨＤＤ２０を保護する耐衝撃性を十分確保することができる。
【００６７】
また、３．５インチのＨＤＤは、幅が１０１．６ｍｍ、高さが２５．４ｍｍ、奥行きが１４６ｍｍで、２．５インチのＨＤＤは、幅が７０ｍｍ、高さが９．５ｍｍ、奥行きが１００ｍｍなどとなっている。ＨＤＤケース１０を、例えばこの２種類のＨＤＤに合せて共通的に収容可能な外形寸法に構成することもできる。すなわち、２．５インチのＨＤＤを収容するＨＤＤケース１０の外形寸法を、３．５インチのＨＤＤを収容するＨＤＤケース１０の外形寸法に合せることができる。これにより、パソコンの５インチベイに、上述したような耐衝撃性、低振動性、静粛性、気密性、防滴性及び放熱性に優れた２．５インチのＨＤＤを収容するＨＤＤケースを装着するような場合にも好都合である。
【００６８】
例えば、ＨＤＤ２０が３．５インチのＨＤＤである場合、ＨＤＤケース１０は、外形寸法が幅１４５ｍｍ、高さ４０ｍｍ、奥行き２００ｍｍの薄い形状に構成することができる。
【００６９】
なお、いずれも図示しないが、ケース本体１の内側の前方側面１ｃ近くに中継基板を設けることができる。中継基板の一側面（ケース本体１内のＨＤＤ２０収容側）には、収容されるＨＤＤ２０のインタフェースコネクタに嵌合するコネクタがＨＤＤ２０側に対向配置されて設けられる。中継基板の他側面（前方側面１ｃ側）には、外部との接続用のコネクタが前方外部側に対向配置されて設けられる。中継基板上に装備された配線パターンにより、メスコネクタとオスコネクタのピンが連結される。以下、ＨＤＤ２０のインタフェースコネクタ関連部の詳細な構成は、例えば特許文献３に記載されているのと同様に構成することができるので、ここでは詳細な説明を省略する。
【実施例２】
【００７０】
図３は、本発明の他の実施形態による実施例２のＨＤＤケース１０ａの正面縦断面図である。
【００７１】
実施例２のＨＤＤケース１０ａは、実施例１のＨＤＤケース１０におけるダンパー機構３０のゲル状衝撃吸収部材からなるダンパー部材３２に換えて、スプリング部材からなるダンパー部材３２ｓを備えたダンパー機構３０ａが異なるだけで、他は実施例１と全く同様の構成である。従って、ここでは、実施例１と同じ構成部材には一部形状が異なっていても同一の符号を付してある。
【００７２】
この実施例では、図３に示すように、ダンパー部材３２ｓである圧縮コイルスプリングが、それぞれＨＤＤ支持部材３１の両端の水平部３１ａ、３１ａの下面とねじ取付け孔３１ｃに挿通されるねじ部材３３のヘッド３３ａとの間に挿通され、衝撃吸収部材ワッシャー３５を介してナット３４により締結され取付けられる。
【００７３】
従って、この実施例では、ダンパー部材３２ｓの圧縮コイルスプリングを取付けているねじ部材３３のヘッド３３ａの底面がＨＤＤ支持部材３１のＨＤＤ載置部３１ｂの下面より若干例えば２ｍｍ程度下方に突出するように配置されてケース本体１の底面１ａへの当接支持部となることにより、底面１ａ上の例えば２ｍｍ未満程度の遮音材３とＨＤＤ載置部３１ｂの下面との間に僅かの隙間Ｓが確保されるようになっている。すなわち、ＨＤＤ２０はダンパー機構３０ａによりケース本体１に対して非接触状態で支持されている。
【００７４】
ねじ取付け孔３１ｃは、例えば３ｍｍ径のねじ部材３３に対し非接触状態を保持するような十分大きい例えば４ｍｍの孔径を有している。また、ダンパー部材３２ｓの圧縮コイルスプリングも、当然、ねじ部材３３に対し非接触状態を保持するような十分大きい内径を有している。
【００７５】
このように組立てられたダンパー機構３０ａの中央部のＨＤＤ載置部３１ｂの上面にＨＤＤ２０が載置されることによりＨＤＤ２０は、ダンパー機構３０ａのダンパー部材３２ｓの圧縮コイルスプリングの弾性力により上方の蓋２方向に適宜押圧され、ＨＤＤ２０の上面がヒートシンク５に当接した状態でケース本体１内に支持されている。従って、ＨＤＤ支持部材３１とＨＤＤ２０とは、特にねじ部材などの固定手段により固着されなくてもよい。
【００７６】
このようなダンパー機構３０ａの構成により、特に上下方向のスペース的に制約される薄型のＨＤＤケース１０ａにおいても、ダンパー機構３０ａがＨＤＤ２０の側面に取付けられるので、ＨＤＤ支持部材３１の両端の水平部３１ａ、３１ａの下面に設けられたダンパー部材３２ｓは衝撃及び振動吸収性能を十分発揮できる厚さすなわちスプリング長が確保できる上、ダンパー部材３２ｓ及び衝撃吸収部材ワッシャー３５ａを介してねじ部材３３のヘッド３３ａがケース本体１内への当接支持部となってＨＤＤ２０及びＨＤＤ支持部材３１がケース本体１に対して非接触状態で支持されることから、ＨＤＤ２０駆動時の振動がＨＤＤ支持部材３１を介して直接ケース本体１に伝播することなく、更に外部からの衝撃もケース本体１から直接ＨＤＤ２０に伝播することなく、これら振動や衝撃を吸収して静粛性ならびにＨＤＤ２０を保護する耐衝撃性を十分確保することができる。
【実施例３】
【００７７】
図４は、本発明の更に他の実施形態による実施例３のＨＤＤケース１０ｂの正面縦断面図であり、図５は、図４のＨＤＤケース１０ｂに用いられる熱伝導性制振板の部分拡大断面図である。
【００７８】
実施例３のＨＤＤケース１０ｂは、実施例２のＨＤＤケース１０ａにおけるヒートシンク５を取り除き、更に蓋２あるいはケース本体１を熱伝導性制振板から構成した点が異なるだけで、他は実施例２と全く同様の構成である。従って、ここでは、説明を簡素化して分かり易くするため実施例２と同じ構成部材、ケース本体１及び蓋２には一部形状が異なっていても実施例２と同一の符号を付してある。
【００７９】
この実施例では、図４に示すように、蓋２の内面とＨＤＤ２０の上面との間に高熱伝導性及び衝撃吸収性あるいはクッション性のある素材例えば上記商品名「デンカ放熱シート」などからなる複数の四角形又は円形板状などの熱伝導性向上粘着性合成樹脂マット４ａが介装されている。なお、この熱伝導性向上粘着性合成樹脂マット４ａは、複数の四角形又は円形板状に換えて実施例２における熱伝導性向上粘着性合成樹脂マット４などと同様なＨＤＤ２０の上面全体を覆う一枚の長方形板状としてもよい。
【００８０】
これにより、ＨＤＤ２０からこれに接触している熱伝導性向上粘着性合成樹脂マット４ａを経て蓋２及び熱伝導性向上粘着性合成樹脂シート９、更にはケース本体１への熱伝達経路が形成されるので、ＨＤＤ２０から発生した熱がＨＤＤケース１０ｂの全ての面から放熱でき、放熱効果を十分確保できる。また、蓋２の内面の熱伝導性向上粘着性合成樹脂マット４ａは、ＨＤＤ２０駆動時の振動のＨＤＤケース１０ｂ外への漏出を防止する効果もあり、特にＨＤＤ２０の上面全体を覆う一枚の長方形板状とした場合は遮音材としてＨＤＤ２０駆動時の騒音のＨＤＤケース１０外への漏出を更に効果的に防止することができる。
【００８１】
また、この実施例では、図５に示すように、蓋２あるいはケース本体１は、熱伝導性のよい金属板１−２ａ、衝撃吸収性あるいはクッション性に優れるとともに熱伝導性を向上させた熱伝導性向上弾性フィルム１−２ｂ、金属板１−２ａの順に積層された熱伝導性制振板から構成されている。
【００８２】
熱伝導性向上弾性フィルム１−２ｂは、金属やカーボンなどの高熱伝導性フィラーを混入した例えばアクリル系などの高分子系樹脂フィルムからなり、熱伝導率が１ＫＷ／（ｍ・Ｋ）以上であることが望ましい。
【００８３】
このような金属板の間に熱伝導性向上弾性フィルムを介装し積層された熱伝導性制振板を蓋２やケース本体１に適用することにより、ＨＤＤ駆動時の振動及び騒音のＨＤＤケース１０ｂ外への漏出防止による静粛性並びに外部からの衝撃を吸収してＨＤＤを保護する耐衝撃性を一層向上するとともに、この例のようにヒートシンクを省いてもＨＤＤケース１０ｂ全体からの放熱性を効果的に確保することができる。
【実施例４】
【００８４】
図６は、本発明の更に他の実施形態による実施例４のＨＤＤケース１０ｃの正面縦断面図である。
【００８５】
実施例４のＨＤＤケース１０ｃは、実施例３のＨＤＤケース１０ｂにおけるダンパー機構３０ａに対して圧縮コイルスプリングからなるダンパー部材３２ｓを挿通するねじ部材３３ａの取付け構造によるダンパー機構３０ｂが異なるだけで、他は実施例３と全く同様の構成である。従って、ここでは、説明を簡素化して分かり易くするため実施例３と同じ構成部材には一部形状が異なっていても実施例３と同一の符号を付してある。
【００８６】
この実施例では、図６に示すように、ねじ部材３３ａが、それぞれＨＤＤ支持部材３１の両端の水平部３１ａ、３１ａのねじ取付け孔３１ｃに上方から衝撃吸収部材ワッシャー３５を介してダンパー部材３２ｓの圧縮コイルスプリング共に挿通し、その段付状に形成された細い先端部３３ｂがケース本体１の底面１ａにねじ着されている。
【００８７】
ねじ取付け孔３１ｃは、ねじ部材３３に対し非接触状態を保持するような十分大きい孔径を有している。また、ダンパー部材３２ｓの圧縮コイルスプリングも、当然、ねじ部材３３に対し非接触状態を保持するような十分大きい内径を有している。
【００８８】
また、ＨＤＤ２０の底面とＨＤＤ載置部３１ｂの上面との間に衝撃吸収部材ワッシャー２２及び３５と同様な衝撃吸収部材からなる衝撃吸収部材シート３６が介装されている。
【００８９】
ダンパー部材３２ｓの圧縮コイルスプリングは、その底面がＨＤＤ支持部材３１のＨＤＤ載置部３１ｂの下面より若干例えば２ｍｍ程度下方に突出するように配置されてケース本体１の底面１ａへの当接支持部となることにより、底面１ａ上の例えば２ｍｍ未満程度の遮音材３とＨＤＤ載置部３１ｂの下面との間に僅かの隙間Ｓが確保されるようになっている。すなわち、ＨＤＤ２０はダンパー機構３０ｂによりケース本体１に対して非接触状態で支持されている。
【００９０】
その際、ＨＤＤ２０は、ダンパー機構３０ｂのダンパー部材３２ｓの圧縮コイルスプリングの弾性力により上方の蓋２方向に適宜押圧され、ＨＤＤ２０の上面、熱伝導性向上粘着性合成樹脂マット４ａ及び蓋２の下面が相互に密着した状態でケース本体１内に支持されている。
【００９１】
このようなダンパー機構３０ｂの構成により、ＨＤＤ２０が衝撃吸収部材シート３６を介してＨＤＤ支持部材３１のＨＤＤ載置部３１ｂに支持されるとともに、ダンパー部材３２ｓの圧縮コイルスプリングがケース本体１内への当接支持部となってＨＤＤ２０及びＨＤＤ支持部材３１がケース本体１に対して非接触状態で支持されることから、ＨＤＤ２０駆動時の振動がＨＤＤ支持部材３１やケース本体１に直接伝播することなく、更に外部からの衝撃もケース本体１から直接ＨＤＤ２０に伝播することなく、これら振動や衝撃を吸収して静粛性ならびにＨＤＤ２０を保護する耐衝撃性を十分確保することができる。
【実施例５】
【００９２】
図７は、本発明の更に他の実施形態による実施例５のＨＤＤケース１０ｄの正面縦断面図である。
【００９３】
実施例５のＨＤＤケース１０ｄは、実施例４のＨＤＤケース１０ｃにおける蓋２の内面とＨＤＤ２０の上面との間の複数の熱伝導性向上粘着性合成樹脂マット４ａが取り除かれている点が異なるだけで、他は実施例４と全く同様の構成である。従って、ここでは、説明を簡素化して分かり易くするためケース本体１を含む実施例４と同じ構成部材には一部形状が異なっていても実施例４と同一の符号を付してある。
【００９４】
この実施例では、図７に示すように、ＨＤＤ２０が、その上面と蓋２の内面との間に適宜の隙間Ｓ１を有した非接触状態で配置されている。
【００９５】
なお、蓋２の内面に例えば実施例１、２あるいは４におけるような熱伝導性向上粘着性合成樹脂マット４又は４ａが被覆されている場合でも、いずれも図示しないが、ＨＤＤ２０を、その上面と熱伝導性向上粘着性合成樹脂マット４又は４ａの下面との間に適宜の隙間Ｓ１を有した非接触状態で配置することもできる。
【００９６】
このような実施例の構成によれば、ＨＤＤ２０がケース本体１及び蓋２に対してそれぞれ適宜の隙間Ｓ、Ｓ１等を有した非接触状態で配置されていることから、ＨＤＤ２０の振動伝播がケース本体１及び蓋２に対して完全に遮断されるため、ＨＤＤ駆動時の振動及び騒音のＨＤＤケース１０ｄ外への漏出防止による静粛性、並びに外部からの衝撃伝播も遮断されＨＤＤを保護する耐衝撃性を更に向上させるという効果がある。
【００９７】
また、このような実施例では、上記実施例１〜４に比べてＨＤＤケース１０ｄの放熱性能は多少劣るが、ＨＤＤ２０からの放射熱が蓋２に直接又は熱伝導性向上粘着性合成樹脂マットを介して蓋２及びケース本体１へと伝導するという熱伝達経路が形成されるので、ＨＤＤ２０から発生した熱がＨＤＤケース１ｄの全ての面からの放熱効果を確保することもできる。
【実施例６】
【００９８】
図８は、本発明の更に他の実施形態による実施例６のＨＤＤケース１０ｅの正面縦断面図である。
【００９９】
実施例６のＨＤＤケース１０ｅは、実施例４のＨＤＤケース１０ｃに対してダンパー機構３０ｃがＨＤＤ２０の左右両側面側に分割して片側にそれぞれ一対（２個）で計４個取付けられる構造になっている点、及びＨＤＤ２０の上面にヒートシンク５０が設けられている点が異なるだけで、他は実施例４と全く同様の構成である。従って、ここでは、説明を簡素化して分かり易くするためケース本体１を含む実施例４と同じ構成部材には一部形状が異なっていても実施例４と同一の符号を付してある。
【０１００】
この実施例では、ダンパー機構３０ｃのＨＤＤ支持部材３１０が、図８に示すように、実施例１〜４におけるＨＤＤ支持部材３１の中央部のＨＤＤ載置部３１ｂが左右に分割された変形構造となっている。すなわち、支持部材３１０は、帯板部材からなり、ＨＤＤ２０のそれぞれ左右側面に沿って直立する直立部３１２と、直立部３１２下部に直角にＨＤＤ２０の側面外方向にＬ字状に屈曲された水平部３１１と、直立部３１２上部に直角にＨＤＤ２０の上面に沿って逆Ｌ字状に屈曲され、ＨＤＤ２０の上面に図示しないねじ部材によりねじ着されるＨＤＤ取付け部３１３とから形成されている。
【０１０１】
この実施例でも、実施例４と同様に、ねじ部材３３ａが、それぞれＨＤＤ支持部材３１０のＨＤＤ２０の左右側面側の水平部３１１のねじ取付け孔３１ｃに上方から衝撃吸収部材ワッシャー３５を介してダンパー部材３２ｓの圧縮コイルスプリング共に挿通し、その段付状に形成された細い先端部３３ｂがケース本体１の底面１ａにねじ着されている。そして、ねじ取付け孔３１ｃ及びダンパー部材３２ｓの圧縮コイルスプリング共に、ねじ部材３３ａに対し非接触状態を保持するような十分大きい孔径を有している。
【０１０２】
このような分割型の支持部材３１０の構成によれば、ＨＤＤ取付け部３１３をＨＤＤ２０の上面にねじ着するという煩わしさはあるが、例えば実施例２などにおけるＨＤＤ支持部材３１中央部のＨＤＤ載置部３１ｂを省いた分ＨＤＤケースを薄く構成できるととともに軽量化できるというメリットがある。
【０１０３】
なお、この実施例におけるダンパー機構として、直立部３１２、水平部３１１及びＨＤＤ取付け部３１３からなる支持部材３１０に換えて、図示しないが、帯板がＬ字状に屈曲された直立部と水平部とからなり、直立部がＨＤＤ２０の左右側面にねじ着されるＨＤＤ取付け部となる支持部材による最もシンプルな変形構造とすることもできる。
【０１０４】
ＨＤＤ２０の上面に載置されたヒートシンク５０は、図８に示すように、上面に例えば溝状の放熱フィン５１が形成され、放熱フィン５１の上面が蓋２内面の熱伝導性向上粘着性合成樹脂マット４の下面に対し適宜の隙間Ｓ１を有した非接触状態で配置されている。
【０１０５】
この実施例の構成によれば、ＨＤＤ２０に接触しているヒートシンク５０の放熱フィン５１からの放射熱が熱伝導性向上粘着性合成樹脂マット４を介して蓋２及びケース本体１へと伝導するという熱伝達経路が形成されるので、ＨＤＤから発生した熱がＨＤＤケース１０ｅの全ての面からの放熱効果を確保することができる。また、ＨＤＤ２０（ヒートシンク５０共）は、ケース本体１及び蓋２とは非接触状態となることから、ＨＤＤ２０の振動伝播がケース本体１及び蓋２に対して完全に遮断されるため、ＨＤＤ２０駆動時の振動及び騒音のＨＤＤケース１０ｅ外への漏出防止による静粛性、並びに外部からの衝撃伝播も遮断されＨＤＤ２０を保護する耐衝撃性を更に向上させる効果もある。
【実施例７】
【０１０６】
図９は、本発明の更に他の実施形態による実施例７のＨＤＤケースのケース本体の底面６０ａ側から見たケース基体６０の斜視図である。
【０１０７】
実施例７のケース本体は、その底面６０ａ及び左右側面６０ｂ、６０ｂの外面に複数溝状の放熱フィン６０ｆが形成されたケース基体６０と、その前後両端にいずれも図示しないネジ着される前方側面板及び後方側面板とから構成され、開口周縁部には蓋取付け面となるフランジ部６０ｄが形成されている。
【０１０８】
放熱フィン６０ｆは、底面６０ａ及び左右側面６０ｂ、６０ｂの外面に、長辺方向すなわち側面６０ｂと平行に溝を複数設けてフィンリブが形成されている。この実施例では、底面６０ａ及び左右側面６０ｂ、６０ｂの外面に放熱フィン６０ｆが設けられているが、底面６０ａの外面のみ、又は左右側面６０ｂ、６０ｂの外面のみに放熱フィン６０ｆが設けられるという形態も可能であり、あるいは図示しないが、短辺方向に沿って放熱フィンを設けてもよい。また、いずれも図示しない前方側面板、後方側面板及び蓋の外面にも上記と同様な放熱フィンを形成することもできる。
【０１０９】
実施例７のＨＤＤケースのその他の構成は、上記実施例１〜６と全く同様である。従って、実施例７においては、上記各実施例と同様な優れた利点を有するのに加えて、ケース本体及び／又は蓋の外面に溝を設けた放熱フィンを付加することにより、ＨＤＤケースの外表面積が増大するため放熱効果が一層向上する。
【実施例８】
【０１１０】
図１０は、本発明の更に他の実施形態による実施例８のＨＤＤケースのケース本体６１底面６１ａ部の断面図である。
【０１１１】
実施例８においては、実施例７におけるケース本体の一方向に形成されたフィンリブによる放熱フィン６０ｆに換えて、図１０に示すように、ケース本体６１に二方向のフィンリブ６１ｆ１と６１ｆ２とが交叉する格子状の放熱フィン６１ｆが形成されている点が異なるだけで、その他の構成は、実施例７と全く同様である。また、いずれも図示しない前方側面板、後方側面板及び蓋の外面にも上記と同様な格子状の放熱フィンを形成することもできる。
【０１１２】
従って、実施例８においては、上記実施例７と同様な優れた利点を有するのに加えて、外面に格子状の放熱フィン６１ｆが形成されているケース本体６１又は／及び図示しない蓋の剛性がアップすることから、ＨＤＤからの振動によるＨＤＤケースの共振を低減して静粛性をなお一層向上させることができる。
【０１１３】
なお、放熱フィン６０ｆ又は６１ｆは、断面形状が矩形の凹凸形状に変えて任意の突起形状の構成とすることもできる。
【０１１４】
以上述べた各実施例におけるケース本体、蓋、あるいはヒートシンクは、１００℃以下の雰囲気温度において熱放射性の高い例えば熱放射効率０．９０以上の材質、もしくは、メッキ、黒色系アルマイト、塗装などの表面処理がなされているセラミック、鋼板、アルミ系又は銅系合金などの材質が用いられる。
【０１１５】
なお、上記ダンパー機構の衝撃吸収部材のばね定数は、例えば圧縮コイルスプリングで１１．２４２Ｎ／ｍｍ（１．１４６ｋｇｆ／ｍｍ）のものを用いているが、適宜選定できる。また、上記圧縮コイルスプリングなどの衝撃吸収部材は、初期取り付け時にＨＤＤを上方の蓋方向に適宜押圧するように予圧をかけた状態で取り付けられるが、この予圧の大きさをすなわち設定予圧力は上記ＨＤＤケースにおける諸元や必要な諸特性に応じて適宜設定される。
【産業上の利用可能性】
【０１１６】
本発明は、気密性及び防滴性を確保して振動、衝撃及び騒音の吸収を図りながら放熱性を効果的に実現でき、耐衝撃性、低振動性、静粛性及び放熱性に一層優れた薄型のＨＤＤケースを提供することができ、パソコンをはじめディスクアレイ装置、更には駆動部を有する各種光学又は／及び電子装置等の収納ケースにも好適に適用できる。
【図面の簡単な説明】
【０１１７】
【図１】本発明の一実施形態による実施例１のＨＤＤケースの正面縦断面図である。
【図２】図１のＨＤＤケースの側面縦断面図である。
【図３】本発明の他の実施形態による実施例２のＨＤＤケースの正面縦断面図である。
【図４】本発明の更に他の実施形態による実施例３のＨＤＤケースの正面縦断面図である。
【図５】図４のＨＤＤケースに用いられる熱伝導性制振板の部分拡大断面図である。
【図６】本発明の更に他の実施形態による実施例４のＨＤＤケースの正面縦断面図である。
【図７】本発明の更に他の実施形態による実施例５のＨＤＤケースの正面縦断面図である。
【図８】本発明の更に他の実施形態による実施例６のＨＤＤケースの正面縦断面図である。
【図９】本発明の更に他の実施形態による実施例７のケース本体の底面側から見たケース基体の斜視図である。
【図１０】本発明の更に他の実施の形態による実施例８のケース本体底面部の断面図である。
【図１１】従来（特許文献１）のＨＤＤケースの分解斜視図である。
【図１２】従来（特許文献２）のＨＤＤケースの分解斜視図である。
【図１３】図１２のＨＤＤケースの正面図（縦断面図）である。
【符号の説明】
【０１１８】
１、６１  ケース本体
１ａ、６０ａ、６１ａ  底面
１ｂ、１ｃ、６０ｂ、６１ｂ  側面
１ｄ、６０ｄ  フランジ部
１−２ａ  金属板
１−２ｂ  熱伝導性向上弾性フィルム
２      蓋
２ａ、３１ｃ、３２ａ  ねじ取付け孔
３、８      遮音材
４、４ａ  熱伝導性向上粘着性合成樹脂マット
５、５０  ヒートシンク
６      制振材
７      吸音材
９      熱伝導性向上粘着性合成樹脂シート
１０、１０ａ、１０ｂ、１０ｃ、１０ｄ、１０ｅ  ＨＤＤケース
２０    ＨＤＤ
２１、３３  ねじ部材
２２、３５  衝撃吸収部材ワッシャー
３０、３０ａ、３０ｂ、３０ｃ  ダンパー機構
３１、３１０  ＨＤＤ支持部材
３１ａ、３１１  水平部
３１ｂ  ＨＤＤ載置部
３２、３２ｓ  ダンパー部材
３４    ナット
３６    衝撃吸収部材シート
５１、６０ｆ、６１ｆ  放熱フィン
６０    ケース基体
６１ｆ１、６１ｆ２  フィンリブ
３１２  直立部
３１３  ＨＤＤ取付け部
【図１】
2009193654.tif 000003
【図２】
2009193654.tif 000004
【図３】
2009193654.tif 000005
【図４】
2009193654.tif 000006
【図５】
2009193654.tif 000007
【図６】
2009193654.tif 000008
【図７】
2009193654.tif 000009
【図８】
2009193654.tif 000010
【図９】
2009193654.tif 000011
【図１０】
2009193654.tif 000012
【図１１】
2009193654.tif 000013
【図１２】
2009193654.tif 000014
【図１３】
2009193654.tif 000015